(57)【要約】【課題】話中系のサービスを確実に実行できると共に、無線電話機に誤動作等を生じさせることなく、無線電話機の発信を規制できる無線電話システムにおける発信規制方法を提供する。【解決手段】ランダムアクセス方式にて無線チャネルを複数台の無線電話機で共用する無線電話システムにおける発信規制方法において、上記無線チャネルにおける同時通話数を無線アクセスポイントまたはその制御装置で監視し、上記無線電話機からの発信を受信した際に、上記同時通話数が予め設定した許容同時通話数に達しているときは、上位の呼制御装置に当該無線電話機に対する接続規制指示を送出して、上記呼制御装置により当該無線電話機の発信を規制する。【選択図】図１
2006352744.tif 000002
【特許請求の範囲】
【請求項１】
ランダムアクセス方式にて無線チャネルを複数台の無線電話機で共用する無線電話システムにおける発信規制方法において、
上記無線チャネルにおける同時通話数を無線アクセスポイントまたはその制御装置で監視し、上記無線電話機からの発信を受信した際に、上記同時通話数が予め設定した許容同時通話数に達しているときは、上位の呼制御装置に当該無線電話機に対する接続規制指示を送出して、上記呼制御装置により当該無線電話機の発信を規制することを特徴とする無線電話システムにおける発信規制方法。
【請求項２】
上記接続規制指示は、上記無線電話機からの発信メッセージを、発信規制を行うメッセージに書き替えて送出することを特徴とする請求項１に記載の無線電話システムにおける発信規制方法。
【発明の詳細な説明】
【技術分野】
【０００１】
本発明は、ランダムアクセス方式にて無線チャネルを複数の無線電話機で共用する無線電話システムにおける発信規制方法に関するものである。
【背景技術】
【０００２】
従来の無線電話システムとして、例えば図３に示す構成のものが知られている。この無線電話システムは、それぞれ帯域の異なる無線チャネルを使用する基地局であるＩＥＥＥ８０２．１１ｂ方式の無線アクセスポイント（ＡＰ）を複数（図３では、２個のＡＰ１、ＡＰ２）有しており、これらＡＰ１、ＡＰ２にそれぞれ無線電話機（ＨＳ）５が複数台帰属可能になっている。
【０００３】
ＡＰ１、ＡＰ２はＬＡＮスイッチ（ＬＡＮ−ＳＷ）６に接続されており、このＬＡＮ−ＳＷ６には、さらにＡＰ１、ＡＰ２における通話数を管理して通信を制御する制御装置であるコントローラ７が接続されていると共に、ＨＳ５をＳＩＰプロトコルで呼制御する上位の呼制御装置であるＳＩＰサーバ８が接続されている。
【０００４】
かかる無線電話システムでは、ＨＳ５が発信すると、その発信メッセージ（ＩＮＶＩＴＥ）が帰属先の例えばＡＰ１で受信されてＬＡＮ−ＳＷ６を経てコントローラ７に送信され、コントローラ７からＬＡＮ−ＳＷ６を経てＳＩＰサーバ８に転送される。ＳＩＰサーバ８は、ＩＮＶＩＴＥを受信すると、その中の接続先情報（Ｒｅｑｕｅｓｔｅｄ ｕｒｉ）を参照して接続先を認識し、接続先を呼び出す。そして、接続先が応答すると、接続先端末とＨＳ５との間で音声パケットを送受して通話に入る。
【０００５】
この音声パケットは、ＡＰ１とＨＳ５との間は無線で送受されるため、同時通話数が増えてくると、無線チャネルの空き時間が少なくなってくる。そして、無線チャネルの最大スループットから決まる同時通話数を超えて呼接続を行うと、通話中にある他のＨＳ５の通話品質を低下させたり、呼が切断されたりするという問題が発生する。
【０００６】
このため、かかる従来の無線電話システムでは、許容可能な同時通話数以上の呼が発生した場合は接続を規制するようにしている。例えば、図３において、ＨＳ５からの発信を受けた時点で、帰属先のＡＰ１の同時通話数が既に許容可能な最大同時通話数に達している場合には、図４に示すように、当該ＨＳ５からのＩＮＶＩＴＥに対して、コントローラ７では発信処理を行うことなく４８６／ＢＵＳＹを返信して発信を規制し、これによりＨＳ５から話中音を出力させて、ユーザに切断キーの押下を促し、その後、切断キーが押下されたら、それによってＨＳ５から送出されるＣＡＮＣＥＬをＡＰ１を経てコントローラ７に送信し、コントローラ７からはＣＡＮＣＥＬの受信により２００  ＯＫをＡＰ１を経てＨＳ５に返信することで、発信規制処理を終了するようにしている。
【０００７】
また、着信においては、図５に示すように、ＳＩＰサーバ８からのＩＮＶＩＴＥに対してコントローラ７から４８６／ＢＵＳＹを返信することで着信を規制し、その後、ＳＩＰサーバ８からのＣＡＮＣＥＬに対してコントローラ７から２００  ＯＫを返信することで着信規制処理を終了するようにしている。
【０００８】
なお、図３では、ＬＡＮ−ＳＷ６に接続したコントローラ７によって、ＡＰ１、ＡＰ２の各々における同時通話数を管理して通信を制御するようにしたが、このようなコントローラ７の機能をＡＰ１、ＡＰ２の各々に持たせるようにして、コントローラ７を省く構成とする場合もある。
【発明の開示】
【発明が解決しようとする課題】
【０００９】
しかしながら、上述した従来の発信規制方法にあっては、コントローラ７がＳＩＰサーバ８から独立してローカルに発信規制処理を実行しているため、ＳＩＰサーバ８においてはＨＳ５の現在の状態を認識することができない。
【００１０】
このため、例えば、コントローラ７によるＨＳ５の発信規制処理中に、当該ＨＳ５に着信があると、ＳＩＰサーバ８においては当該ＨＳ５が空きと判断されて接続処理が実行され、その結果、当該ＨＳ５に予め話中転送等の話中系のサービスが設定されている場合にはそのサービスが実行されず、また、コントローラ７からの発信規制メッセージとＳＩＰサーバ８からの接続処理メッセージとが競合して、当該ＨＳ５が誤動作する等の虞がある。
【００１１】
したがって、かかる事情に鑑みてなされた本発明の目的は、話中系のサービスを確実に実行できると共に、無線電話機に誤動作等を生じさせることなく、無線電話機の発信を規制できる無線電話システムにおける発信規制方法を提供することにある。
【課題を解決するための手段】
【００１２】
上記目的を達成する請求項１に係る発明は、ランダムアクセス方式にて無線チャネルを複数台の無線電話機で共用する無線電話システムにおける発信規制方法において、
上記無線チャネルにおける同時通話数を無線アクセスポイントまたはその制御装置で監視し、上記無線電話機からの発信を受信した際に、上記同時通話数が予め設定した許容同時通話数に達しているときは、上位の呼制御装置に当該無線電話機に対する接続規制指示を送出して、上記呼制御装置により当該無線電話機の発信を規制することを特徴とするものである。
【００１３】
請求項２に係る発明は、請求項１に記載の無線電話システムにおける発信規制方法において、上記接続規制指示は、上記無線電話機からの発信メッセージを、発信規制を行うメッセージに書き替えて送出することを特徴とするものである。
【発明の効果】
【００１４】
本発明によると、無線電話機からの発信を受信した際に、無線チャネルにおける同時通話数が許容同時通話数に達しているときは、上位の呼制御装置に接続規制指示が送出されて、この呼制御装置により当該無線電話機に対する発信規制処理が行われるので、呼制御装置において当該無線電話機の現在の状態を認識することができる。したがって、この発信規制処理中に、当該無線電話機に着信があった場合には、話中転送等の話中系のサービスを確実に実行することができると共に、当該無線電話機に対しては発信規制処理に関するメッセージが送出され、着信処理に関するメッセージが送出されることはないので、メッセージの競合による誤動作を誘起することもなくなる。
【発明を実施するための最良の形態】
【００１５】
以下、本発明の無線電話システムにおける発信規制方法の一実施の形態について、図を参照して説明する。
【００１６】
図１は、発信規制のシーケンスを示す図である。本実施の形態は、図３に示した構成の無線電話システムにおいて、コントローラ７によりＡＰ１、ＡＰ２の各々における同時通話数を監視し、各ＡＰにおいて、帰属中のＨＳ５からの発信を検出した時点で、同時通話数が予め設定した許容同時通話数に達しているときは、コントローラ７からＳＩＰサーバ８に対して当該ＨＳ５の接続規制指示を送出して、ＳＩＰサーバ８により当該ＨＳ５の発信を規制するようにしたものである。
【００１７】
すなわち、図１に示すように、例えばＡＰ１において、帰属中のＨＳ５からＩＮＶＩＴＥを受信したら、そのＩＮＶＩＴＥをコントローラ７に供給する。コントローラ７では、ＡＰ１からのＩＮＶＩＴＥを受信したら、その時点でのＡＰ１の同時通話数を確認し、同時通話数が既に許容同時通話数に達している場合には、ＳＩＰサーバ８に対して当該ＨＳ５の接続規制指示を送出する。
【００１８】
本実施の形態では、コントローラ７からＳＩＰサーバ８への接続規制指示として、ＨＳ５からのＩＮＶＩＴＥのｒｅｑｕｅｓｔｅｄ  ｕｒｉを通常使用しない値、例えば電話番号＠ドメインからなる接続先情報の電話番号の部分を通常使用しない＊＊＊に書き替えたＩＮＶＩＴＥ（図１ではＩＮＶＩＴＥ改で示す）として、すなわちＨＳ５からの発信メッセージを発信規制を行うメッセージに書き替えて送出する。
【００１９】
ＳＩＰサーバ８では、コントローラ７からのＩＮＶＩＴＥ改を受信したら、そのｒｅｑｕｅｓｔｅｄ  ｕｒｉが通常使用しない値であることを認識して、コントローラ７およびＡＰ１を経て当該ＨＳ５に対して４８６／ＢＵＳＹを返信して発信を規制し、これによりＨＳ５から話中音を出力させて、ユーザに切断キーの押下を促す。
【００２０】
その後、切断キーが押下されたら、それによってＨＳ５から送出されるＣＡＮＣＥＬをＡＰ１およびコントローラ７を経てＳＩＰサーバ８に送信し、ＳＩＰサーバ８ではそのＣＡＮＣＥＬを受信して、２００  ＯＫをコントローラ７およびＡＰ１を経てＨＳ５に返信し、発信規制処理を終了する。
【００２１】
図２は、本実施の形態に係る無線電話システムにおけるコントローラのＩＮＶＩＴＥ処理を示すフローチャートである。
【００２２】
上述したように、本実施の形態では、ＨＳからのＩＮＶＩＴＥを受信したら（ステップＳ１）、受信したＡＰの現在の同時通話数を確認して（ステップＳ２）、許容同時通話数に達しているか否かを判断し（ステップＳ３）、許容同時通話数に達していれば、そのＩＮＶＩＴＥのｒｅｑｕｅｓｔｅｄ  ｕｒｉの値を＊＊＊＠ドメインに書き替えて（ステップＳ４）、すなわちＨＳからの発信メッセージを発信規制を行うメッセージに書き替えて、その書き替えたＩＮＶＩＴＥ（図１ではＩＮＶＩＴＥ改）をＳＩＰサーバ８に送出し（ステップＳ５）、ＩＮＶＩＴＥ処理を終了する（ステップＳ６）。
【００２３】
これに対し、ステップＳ３において、現在の同時通話数が許容同時通話数に達していなければ、ステップＳ５においてＨＳからのＩＮＶＩＴＥを書き替えることなくＳＩＰサーバ８に送出して、ＩＮＶＩＴＥ処理を終了する（ステップＳ６）。
【００２４】
このように、本実施の形態では、コントローラ７がＨＳ５からのＩＮＶＩＴＥを受信した際に、その無線チャネルにおける同時通話数が許容同時通話数に達しているときは、コントローラ７からＳＩＰサーバ８に接続規制指示を送出し、これによりＳＩＰサーバ８によってＨＳ５の発信を規制するようにしたので、ＳＩＰサーバ８においてＨＳ５の現在の状態を認識することができる。したがって、ＳＩＰサーバ８によるＨＳ５の発信規制処理中に、当該ＨＳ５に着信があった場合には、話中転送等の話中系のサービスを確実に実行することができると共に、当該ＨＳ５に対しては、発信規制処理に関するメッセージが送出され、着信処理に関するメッセージが送出されることはないので、メッセージの競合によるＨＳ５の誤動作を招くこともない。
【００２５】
しかも、コントローラ７からＳＩＰサーバ８への接続規制指示として、ＨＳ５からの発信メッセージの接続先情報を通常使用しない接続先情報に書き替えることにより、発信規制を行うメッセージとして送出するようにしたので、既存の無線電話システムに対してもソフト的な変更によって簡単かつ安価に実施することができる。
【００２６】
なお、本発明は、上記実施の形態にのみ限定されるものではなく、幾多の変更または変形が可能である。例えば、コントローラ７からＳＩＰサーバ８への接続規制指示は、上記実施の形態のように発信メッセージの接続先情報を通常使用しない値に書き替えて、発信規制を行うメッセージとして送出する場合に限らず、ＨＳ５からのＩＮＶＩＴＥに専用の接続規制情報を付加してＳＩＰサーバ８に送出し、その接続規制情報をＳＩＰサーバ８で検出してＨＳ５の発信を規制することもできる。また、本発明は、コントローラ７の機能を各ＡＰに持たせるようにして、コントローラ７を省いた無線電話システムにも有効に適用することができる。
【図面の簡単な説明】
【００２７】
【図１】本発明の一実施の形態に係る無線電話システムにおける発信規制のシーケンスを示す図である。
【図２】本実施の形態の無線電話システムにおけるコントローラでのＩＮＶＩＴＥ処理を説明するフローチャートである。
【図３】本発明が適用可能な無線電話システムの一例の構成を示す図である。
【図４】従来の発信規制を示すシーケンスである。
【図５】従来の着信規制を示すシーケンスである。
【符号の説明】
【００２８】
１，２  無線アクセスポイント（ＡＰ）
５  無線電話機（ＨＳ）
６  ＬＡＮスイッチ（ＬＡＮ−ＳＷ）
７  コントローラ
８  ＳＩＰサーバ
【図１】
2006352744.tif 000003
【図２】
2006352744.tif 000004
【図３】
2006352744.tif 000005
【図４】
2006352744.tif 000006
【図５】
2006352744.tif 000007